(57)【要約】【課題】本発明は、組立て作業効率の向上を図った煙突体を提供する。【解決手段】一つの筒部材２Ａに設けられた雄ねじ部４が、他の筒部材２Ｂに設けられた雌ねじ部６に螺合されることで連結される煙突体１であって、雄ねじ部が、雄筒状部４０と、該雄筒状部の周方向に間隔をあけて複数設けられ、かつ雄筒状部の外面に形成された雄突起部５と、を有し、雌ねじ部が、雌筒状部６０と、該雌筒状部の内面に形成されて雄突起部に係合する少なくとも１つの雌突起部７と、を有し、雄突起部が、雄ねじ部及び雌ねじ部の螺合方向Ｒの奥側に進むにしたがって雄筒状部の基端に近付く第１勾配部５１と、該第１勾配部の螺合方向Ｒの奥側に連続されて第１勾配部より大きい勾配を有する第２勾配部５２と、を有し、第１勾配部及び第２勾配部の各上面５１Ｂ、５２Ｂに摺動されて、雌突起部が螺合方向Ｒの奥側に位置する第１勾配部の下面５１Ｃに係合する。【選択図】図９
2019207065.tif 000002
【特許請求の範囲】
【請求項１】
複数の筒部材を有し、一つの前記筒部材に設けられた雄ねじ部が、他の前記筒部材に設けられた雌ねじ部に螺合されることで連結される煙突体であって、
前記雄ねじ部が、雄筒状部と、該雄筒状部の周方向に間隔をあけて複数設けられ、かつ、前記雄筒状部の外面に形成された雄突起部と、を有し、
前記雌ねじ部が、雌筒状部と、該雌筒状部の内面に形成されて前記雄突起部に係合する少なくとも１つの雌突起部と、を有し、
前記雄突起部が、前記雄ねじ部及び前記雌ねじ部の螺合方向の奥側に進むにしたがって前記雄筒状部の基端に近付く第１勾配部と、該第１勾配部の螺合方向の奥側に連続されて前記第１勾配部より大きい勾配を有する第２勾配部と、を有し、
前記第１勾配部及び前記第２勾配部における前記雄筒状部の先端側の各面に摺動されて、前記雌突起部が螺合方向の奥側に案内され、螺合方向の奥側に位置する前記第１勾配部の前記雄筒状部における基端側の面に係合することを特徴とする煙突体。
【請求項２】
前記第１勾配部は、前記雄筒状部の周方向に沿う仮想線に対する角が、３度〜７度の範囲内となるように形成されていることを特徴とする請求項１に記載の煙突体。
【請求項３】
前記第２勾配部は、前記雄筒状部の周方向に沿う仮想線に対する角が、３０度〜６０度の範囲内となるように形成されていることを特徴とする請求項１または請求項２に記載の煙突体。
【請求項４】
前記雌突起部は、その一部が切り欠かれ、切り欠かれることで形成された切断端縁を有し、
前記切断端縁が前記第１勾配部に当接して、前記雌突起部が前記第１勾配部に係合することを特徴とする請求項１〜３のうち何れか一項に記載の煙突体。
【発明の詳細な説明】
【技術分野】
【０００１】
本発明は、煙突体に関する。
【背景技術】
【０００２】
従来、暖炉等の煙を屋外に導くためのものであり、複数のユニット（筒部材）を連続的に接続することにより、所定長さになるように複数のユニットが連結された煙突（煙突体）が開示されている（例えば、特許文献１参照）。
【０００３】
特許文献１に記載の従来の煙突は、筒状の上側ユニット及び筒状の下側ユニットを有し、上側ユニットの下端部に設けられた第１接続環と、下側ユニットの上端部に設けられた第２接続環と、が接続され、上側ユニット及び下側ユニットが連結されることで構成されている。
【０００４】
第１接続環の周壁内面には、その上面が水平面に対して傾斜している第１突起が形成されている。第２接続環の周壁外面には、その下面が水平面に対して第１突起の上面と同一の角度で接触するように傾斜した第２突起が形成されている。
【０００５】
このような第１接続環と第２接続環を接続する際は、第１接続環の内周を第２接続環の外周に嵌合させた後、上側ユニットを締める方向に回転させることにより、第１突起の上面に第２突起の下面を摺動させ、第１接続環及び第２接続環を互いに引き寄せて、第１突起及び第２突起を係合させる。こうして、第１接続環と第２接続環を接続する。
【先行技術文献】
【特許文献】
【０００６】
【特許文献１】特開２０１３−２２８１６５号公報
【発明の概要】
【発明が解決しようとする課題】
【０００７】
このような従来の煙突は、第１接続環の内周を第２接続環の外周に嵌合させた後、上側ユニットを締める方向に回転させることにより、第１突起の上面に第２突起の下面を摺動させ、第１接続環及び第２接続環を互いに引き寄せて、第１突起及び第２突起を係合させるように締め付けるものであるが、煙突を構成する上側ユニット及び下側ユニットは、重量があり、サイズが大きく持ち難いため、上側ユニット及び下側ユニットのうち一方を他方に対して回転させ難く、組立て作業効率が悪かった。
【０００８】
本発明の目的は、組立て作業効率の向上を図った煙突体を提供することにある。
【課題を解決するための手段】
【０００９】
本発明は、複数の筒部材を有し、一つの前記筒部材に設けられた雄ねじ部が、他の前記筒部材に設けられた雌ねじ部に螺合されることで連結される煙突体であって、前記雄ねじ部が、雄筒状部と、該雄筒状部の周方向に間隔をあけて複数設けられ、かつ、前記雄筒状部の外面に形成された雄突起部と、を有し、前記雌ねじ部が、雌筒状部と、該雌筒状部の内面に形成されて前記雄突起部に係合する少なくとも１つの雌突起部と、を有し、前記雄突起部が、前記雄ねじ部及び前記雌ねじ部の螺合方向の奥側に進むにしたがって前記雄筒状部の基端に近付く第１勾配部と、該第１勾配部の螺合方向の奥側に連続されて前記第１勾配部より大きい勾配を有する第２勾配部と、を有し、前記第１勾配部及び前記第２勾配部における前記雄筒状部の先端側の各面に摺動されて、前記雌突起部が螺合方向の奥側に案内され、螺合方向の奥側に位置する前記第１勾配部における前記雄筒状部の基端側の面に係合することを特徴とする。
【００１０】
以上のような本発明によれば、雄ねじ部が、雄筒状部と、該雄筒状部の周方向に間隔をあけて複数設けられ、かつ、雄筒状部の外面に形成された雄突起部と、を有し、雌ねじ部が、雌筒状部と、該雌筒状部の内面に形成されて雄突起部に係合する少なくとも１つの雌突起部と、を有し、雄突起部が、雄ねじ部及び雌ねじ部の螺合方向の奥側に進むにしたがって雄筒状部の基端に近付く第１勾配部と、該第１勾配部の螺合方向の奥側に連続されて第１勾配部より大きい勾配を有する第２勾配部と、を有し、第１勾配部及び第２勾配部における雄筒状部の先端側の各面に摺動されて、雌突起部が螺合方向の奥側に案内され、螺合方向の奥側に位置する第１勾配部の雄筒状部の基端側の面に係合する。即ち、雄ねじ部を雌ねじ部に近付けて内挿した状態で、雌ねじ部が雄ねじ部に対して螺合されることで、雌突起部が雄突起部の第１勾配部における雄筒状部の先端側の面（上面）に摺接されて螺合方向の奥側に案内される。さらに螺合方向の奥側に移動されるに伴って、雌突起部は、第１勾配部の上面に連続される第２勾配部の上面に移動し、さらに、螺合方向の奥側に摺接案内されて、螺合方向の奥側に位置する第１勾配部の雄筒状部の基端側の面に係合するが、第１勾配部より大きい勾配を有する第２勾配部が設けられていることにより、落下エネルギーの一部を螺合方向に転換することがでるから、螺合方向の奥側に向かう移動速度（回転速度）を速くすることができる。ここで、従来技術は、第２勾配部を有していないので、雌突起部が第１勾配部の螺合方向の奥側に移動した際に、真下に落下する。このため、螺合方向の奥側に向かう移動速度（回転速度）を速くすることができないが、本発明によれば、第１勾配部より大きい勾配を有する第２勾配部が設けられていることにより、螺合方向の奥側に向かう移動速度（回転速度）を速くすることができる。これにより、雌突起部が、螺合方向の奥側に位置する第１勾配部の雄筒状部の基端側の面に係合する際の移動（締付け）が促進される。
【００１１】
また、第１勾配部は、雄筒状部の周方向に沿う仮想線に対する角が、３度〜７度の範囲内となるように形成されていることが好ましい。即ち、第１勾配部は、雄筒状部の周方向に沿う仮想線に対する角度が小さくなるほど、係合した際に緩み難くなるが、雄突起部と雌突起部の高さ方向（筒部材の軸方向）の形成位置の正確性が求められる。つまり、第１勾配部は、雄筒状部の周方向に沿う仮想線に対する角が１度または２度であった場合には、雄突起部及び雌突起部の高さ位置が少しでもずれると突起部同士が衝突し、逆に離れすぎると係合せずに空回りする可能性がある。このため、雄筒状部の周方向に沿う仮想線に対する角は３度以上であり、より好ましくは、４度〜５度の範囲内となるように形成されているのがよい。これによれば、雄突起部及び雌突起部の係合が緩み難いものとされる。
【００１２】
また、雌突起部は、その一部が切り欠かれ、切り欠かれることで形成された切断端縁を有し、切断端縁が第１勾配部に当接して、雌突起部が第１勾配部に係合することが好ましい。これによれば、切断端縁が第１勾配部に当接することで、摩擦により雄突起部及び雌突起部の係合がより一層、緩み難いものとされる。
【発明の効果】
【００１３】
本発明の煙突体によれば、組立て作業効率の向上を図ることができる。
【図面の簡単な説明】
【００１４】
【図１】本発明の一実施の形態の煙突体を含んだ暖房システムを示す図であり、（Ａ）は、斜視図であり、（Ｂ）は、背面図であり、（Ｃ）は、側面図であり、（Ｄ）は、正面図である。
【図２】前記煙突体が壁部に取り付けられた状態を示す斜視図である。
【図３】前記煙突体の分解斜視図である。
【図４】前記煙突体を構成する取付け部材の分解斜視図である。
【図５】前記煙突体を構成する筒部材の一部を切り欠いた側面図である。
【図６】図５に示された筒部材の要部を拡大して示す図である。
【図７】前記煙突体を構成する雄ねじ部及び雌ねじ部の一部断面を示す斜視図である。
【図８】前記雄ねじ部及び前記雌ねじ部が螺合された状態を示す断面図である。
【図９】前記雄ねじ部及び前記雌ねじ部が螺合された状態の一部断面を示す斜視図である。
【図１０】前記雄ねじ部及び前記雌ねじ部が螺合されて、２個の筒部材が連結した状態を示す斜視図である。
【図１１】図１０に示された２個の筒部材が取付け部材を介して壁部に取り付けられた状態を示す図である。
【図１２】図１１に示された２個の筒部材にロッキングバンドが取り付けられた状態を示す図である。
【図１３】前記煙突体の変形例を示す正面図である。
【図１４】前記煙突体の他の変形例を示す正面図である。
【発明を実施するための形態】
【００１５】
以下、本発明の一実施の形態に係る煙突体を有する暖房システムについて図１〜図１２を参照して説明する。この暖房システムは、家屋内における暖房のために用いられるものである。暖房システムは、図１、図２に示すように、燃料を燃焼させるための燃焼室１０と、燃料の燃焼に必要な空気を燃焼室１０の内部に取り込む不図示の給気口と、燃焼室１０において生じた煙やガスを家屋外に排出するために煙を通過させる直線状の煙突体１と、家屋内外を仕切る壁部Ｗに煙突体１を挿入支持して取り付ける取付け部材９と、を有して構成されている。なお、本実施形態の煙突体１は、直線状に設けられているが、燃焼室１０の設置場所に応じて適宜屈曲されていてもよい。
【００１６】
煙突体１は、図３、図１０に示すように、複数（図示例では２個）の筒部材２Ａ、２Ｂと、２個の筒部材２Ａ、２Ｂの連結部２０（図１０に示す）に巻かれるロッキングバンド３と、を有して構成されている。本実施形態では、図３に示すように、２個の筒部材２Ａ、２Ｂは、略同一構造乃至略同一機能を有して構成されている。２個の筒部材２Ａ、２Ｂのうち、上方に位置する一方を「上側筒部材２Ａ」と記し、下方に位置する他方を「下側筒部材２Ｂ」と記す場合がある。下側筒部材２Ｂの上端部には、雄ねじ部４が設けられ、上側筒部材２Ａの下端部には、雄ねじ部４を螺合させる雌ねじ部６が設けられている。なお、本実施形態において、「螺合」とは、雄ねじ部４の（後述する）雄突起部５と雌ねじ部６の（後述する）雌突起部７が係合することと同義であり、雄突起部５に雌突起部７が弾性的に当接した状態のことである。また、雌ねじ部６は雄ねじ部４に対して、上から見て時計回りに回転されることで螺合される。また、上から見て時計回りの方向を「螺合方向Ｒ」と記す場合がある。雄ねじ部４に雌ねじ部６が螺合されることで２個の筒部材２Ａ、２Ｂが連結されて連結部２０が形成される。即ち、上側筒部材２Ａ及び下側筒部材２Ｂは連結部２０で連結される。また、本実施形態では、鉛直方向を矢印Ｙで示し、上方を矢印Ｙ１で示し、下方を矢印Ｙ２で示す。
【００１７】
各筒部材２Ａ、２Ｂは、図５、図６に示すように、筒部本体２１と、筒部本体２１の上端部に設けられた雄突起部５を有する雄ねじ部４と、筒部本体２１の下端部に設けられた雌突起部７を有する雌ねじ部６と、を有して構成されている。
【００１８】
筒部本体２１は、図７に示すように、円筒状の外側筒部２２と、外側筒部２２に内挿される円筒状の内側筒部２３と、外側筒部２２と内側筒部２３との間に設けられる不図示の断熱材と、を有して構成されている。内側筒部２３は、第１内側筒部２４と、上側筒部材２Ａの第１内側筒部２４を内挿可能な第２内側筒部２５と、を有して構成されている。外側筒部２２、第１内側筒部２４、及び第２内側筒部２５は、同軸に形成されている。第２内側筒部２５は、第１内側筒部２４の上端部に連続して設けられている。第２内側筒部２５の内径寸法は、第１内側筒部２４の内径寸法より、第１内側筒部２４の板厚寸法分だけ大きくなるように形成されている。外側筒部２２の上端（上端部２２Ａ）は、第１内側筒部２４と第２内側筒部２５の境界部より僅かに下方に位置している。また、外側筒部２２の下端（下端部２２Ｂ）は、第１内側筒部２４の下端より僅かに下方に位置している。
【００１９】
雄ねじ部４は、図７に示すように、外側筒部２２と内側筒部２３との径方向の間に位置し、雄ねじ部４の上端部である上側重なり部４１が、第２内側筒部２５の上端部２５Ａの外面に重なって溶接（固定）され、雄ねじ部４の下端部である下側重なり部４２が、外側筒部２２の上端部２２Ａの内面に重なって溶接（固定）されている。筒部本体２１から上方に突出して設けられている。雄ねじ部４は、板金にプレス加工が施されることで形成されている。
【００２０】
また、雄ねじ部４は、図６、図７に示すように、円筒状の雄側カプラー部４０（雄筒状部）と、円筒状の上側重なり部４１と、雄側カプラー部４０と上側重なり部４１との間に位置する円環状の第１延在部４１Ａと、雄側カプラー部４０の下端に連続されて当該下端との境界部が径方向の外側に折れ曲がって延在する第２延在部４３と、第２延在部４３に連続されて、第２延在部４３との境界部が径方向の内側にＵ字状に折れ曲がって形成された第３延在部４４と、第３延在部４４に連続された円筒状の第４円筒部４５と、第４円筒部４５の下端との境界部が径方向の外側に折れ曲がって延在する第５延在部４６と、第５延在部４６に連続された円筒状の下側重なり部４２と、を一体に有して構成されている。雄側カプラー部４０は、外側筒部２２及び内側筒部２３と同軸に設けられている。さらに、雄ねじ部４には、雄側カプラー部４０の外周面（外面）に、周方向に間隔をあけて複数の雄突起部５が形成されている。
【００２１】
第４円筒部４５は、雄側カプラー部４０と下側重なり部４２との径方向の間に位置している。以下では、第２延在部４３と第２延在部４３に連続される第３延在部４４の一部を「突条部４７」と記す場合がある。突条部４７は、雄ねじ部４の全周に連続形成されている。また、第４円筒部４５、第４円筒部４５の上方に連続される第３延在部４４の一部及び、第４円筒部４５の下方に連続される第５延在部４６の一部を「溝部４８」と記す場合がある。溝部４８は、雄ねじ部４の全周に延在形成されている。
【００２２】
各雄突起部５は、図６に示すように、螺合方向Ｒの奥側に進むにしたがって筒部本体２１の下端（雄側カプラー部４０の基端）に近づく第１勾配部５１と、第１勾配部５１の螺合方向Ｒの奥側に連続されて第１勾配部５１より大きい下り勾配を有する第２勾配部５２と、を有して構成されている。
【００２３】
第１勾配部５１は、図６に示すように、雄側カプラー部４０の外周面と略平行な第１頂面５１Ａと、雄側カプラー部４０の外周面と第１頂面５１Ａの上端縁とに連続された第１上側傾斜面５１Ｂと、雄側カプラー部４０の外周面と第１頂面５１Ａの下端縁とに連続された第１下側傾斜面５１Ｃと、を有して構成されている。
【００２４】
雄側カプラー部４０と第１下側傾斜面５１Ｃとの境界線Ｌ１は直線状に形成され、境界線Ｌ１と雄側カプラー部４０の周方向に沿う仮想線Ｌ０との成す角θ１が、本実施形態では４度となるように形成されている。仮想線Ｌ０は、雄側カプラー部４０の軸に直交して設けられている。本実施形態では、境界線Ｌ１と仮想線Ｌ０との成す角θ１が、本実施形態では４度となるように形成されているが、境界線Ｌ１と仮想線Ｌ０との成す角が４度〜５度の範囲内となるように形成されていてもよく、境界線Ｌ１と仮想線Ｌ０との成す角が３度〜７度の範囲内となるように形成されていてもよい。また、図８にも示すように、第１下側傾斜面５１Ｃの雄側カプラー部４０の外周面に対する傾斜は、第１上側傾斜面５１Ｂの雄側カプラー部４０の外周面に対する傾斜より大きくなるように形成されている。
【００２５】
第２勾配部５２は、図６に示すように、第１頂面５１Ａに連続される第２頂面５２Ａと、第１上側傾斜面５１Ｂに連続される第２上側傾斜面５２Ｂと、第１下側傾斜面５１Ｃに連続される第２下側傾斜面５２Ｃと、を有して構成されている。雄側カプラー部４０と第２上側傾斜面５２Ｂとの境界線Ｌ２は直線状に形成され、境界線Ｌ２と雄側カプラー部４０の周方向に沿う仮想線Ｌ０との成す角θ２が、本実施形態では４５度となるように形成されている。
【００２６】
本実施形態では、境界線Ｌ２と仮想線Ｌ０との成す角θ２が、本実施形態では４５度となるように形成されているが、境界線Ｌ２と仮想線Ｌ０との成す角が４０度〜５０度の範囲内となるように形成されていてもよく、境界線Ｌ２と仮想線Ｌ０との成す角が３０度〜６０度の範囲内となるように形成されていてもよい。また、第２勾配部を構成する境界線Ｌ２のうち、少なくとも一部が、角θ１より大きくなるように形成されていればよい。また、第２上側傾斜面５２Ｂの雄側カプラー部４０の外周面に対する傾斜は、第２下側傾斜面５２Ｃの雄側カプラー部４０の外周面に対する傾斜より大きくなるように形成されている。
【００２７】
雌ねじ部６は、図６、図７に示すように、円筒状の雌側カプラー部６０（雌筒状部）と、雌側カプラー部６０の上端に連続されて当該上端との境界部が内側に折れ曲がった円環状の雌側第１円環部６１と、雌側第１円環部６１との境界部が斜め上方に向かって折れ曲がって先端が内側筒部２３の外周面に向けて延在する雌側第１延在部６２と、を有している。さらに雌ねじ部６は、図６に示すように、雌側カプラー部６０の下端に連続されて雌側カプラー部６０との境界部が径方向の外側にＵ字状に折れ曲がって形成された断面円弧状の第１環状リブ６３と、第１環状リブ６３の下端に連続されるとともに、軸と平行に延在された円筒状の第１下端延在部６４と、を有している。
【００２８】
雌側カプラー部６０には、図６に示すように、複数の雌突起部７が設けられている。また、雌側カプラー部６０の下端部であって、雌突起部７と第１環状リブ６３との間には、軸と平行に延在された円筒状の雌側円筒部６５が設けられている。即ち、雌側円筒部６５は、雌側カプラー部６０の一部である。第１下端延在部６４及び雌側円筒部６５は、径寸法が略同じになるように形成された円筒状に形成され、雌突起部７は、第１下端延在部６４及び雌側円筒部６５より径方向の内側に突出して設けられ、第１環状リブ６３は、第１下端延在部６４及び雌側円筒部６５より径方向の外側に突出して設けられている。
【００２９】
各雌突起部７は、図６に示すように、雌側カプラー部６０の上下の中間部に、周方向に等間隔をあけて設けられている。各雌突起部７は、雌側カプラー部６０の径方向の内側に膨出して設けられている。また、雌突起部７は、上面が切り欠かれることで形成された切断端縁７０を有している。即ち、各雌突起部７は、雌側カプラー部６０の内周面から、中心軸に向かうように折れ曲がって斜め上方に向けて延在され、その先端に切断端縁７０が位置して形成されている。切断端縁７０は、螺合方向Ｒの奥側の前端が後端より上方に位置するような直線状に設けられている。切断端縁７０は、雄ねじ部４と雌ねじ部６が螺合した際に、雄ねじ部４の第１勾配部５１の第１下側傾斜面５１Ｃに当接可能な位置に設けられている。
【００３０】
さらに雌ねじ部６は、図７に示すように、外側筒部２２の下端部２２Ｂと雌側カプラー部６０との径方向の間に位置する雌側カプラー補強部８を有している。雌側カプラー補強部８は、その上端部であって、外側筒部２２の下端部２２Ｂに重なって溶接（固定）される雌側重なり部８１と、この雌側重なり部８１の下端との境界部が折れ曲がって径方向の内側に延在される雌側第２延在部８２と、雌側第２延在部８２との境界部が折れ曲がって筒状に下方に延在される雌側第２円筒部８３と、雌側第２円筒部８３の下端に連続されて雌側第２円筒部８３との境界部が径方向の外側にＵ字状に折れ曲がって形成された断面円弧状の第２環状リブ８４と、第２環状リブ８４の下端に連続されるとともに、軸と平行に延在された円筒状の第２下端延在部８５と、を有して構成されている。雌側第２円筒部８３、第２環状リブ８４及び第２下端延在部８５は、雌側円筒部６５、第１環状リブ６３及び、第１下端延在部６４に重なって溶接（固定）されている。
【００３１】
以下では、雌側円筒部６５及び雌側第２円筒部８３を「雌側凹み部１１」と記す場合がある。雌側凹み部１１は、雌ねじ部６の全周に延在形成されている。また、第１環状リブ６３及び第２環状リブ８４を「雌側突条部１２」と記す場合がある。雌側突条部１２は、雌ねじ部６の全周に連続形成されている。また第１下端延在部６４及び第２下端延在部８５を「雌側下端部１３」と記す場合がある。
【００３２】
このような雄ねじ部４及び雌ねじ部６が螺合される際、図７、図８に示すように、雌突起部７が、第１勾配部５１の第１上側傾斜面５１Ｂに当接する。さらに雌ねじ部６が螺合方向Ｒの奥側に移動されるに伴って、雌突起部７が、第１上側傾斜面５１Ｂに沿って摺接案内されて、第２上側傾斜面５２Ｂに移動して、雌突起部７の切断端縁７０が螺合方向Ｒの奥側の第１勾配部５１の第１下側傾斜面５１Ｃに当接する。この状態で、さらに雌ねじ部６が螺合方向Ｒの奥側に移動されることで、雌ねじ部６の雌側下端部１３が雄ねじ部４の第２延在部４３を押圧し、雌突起部７、雌ねじ部６の雌側突条部１２及び雌側下端部１３が、雄突起部５と第２延在部４３との間に押圧状態で挟持される。こうして、雌突起部７及び雄突起部５が係合される。
【００３３】
ロッキングバンド３は、図３に示すように、上側筒部材２Ａ及び下側筒部材２Ｂの連結部２０に巻かれる環状部本体３０と、環状部本体３０の一端に設けられたリング３１を有するレバー３２と、環状部本体３０の他端に設けられてリング３１が引っ掛かるフック３３と、を有して構成されている。レバー３２は、リング３１がフック３３に引っ掛けて、回動することで、リング３１を引き寄せて、上側筒部材２Ａ及び下側筒部材２Ｂの連結部２０を締め付ける。環状部本体３０は、円筒状のバンド本体３４と、バンド本体３４の上下の端部から径方向内側に折れ曲がった一対の曲げ部３５Ａ、３５Ｂと、を有してコ字状に形成されている。ロッキングバンド３が取り付けられた状態で、図８、図９に示すように、一対の曲げ部３５Ａ、３５Ｂのうち上方の曲げ部３５Ａは、雌ねじ部６の雌側凹み部１１に当接され、一対の曲げ部３５Ａ、３５Ｂのうち下方の曲げ部３５Ｂは、雄ねじ部４の第４円筒部４５に当接されている。
【００３４】
取付け部材９は、図４に示すように、第１円弧部９０と、第２円弧部９１と、第１円弧部９０及び第２円弧部９１を壁部Ｗに固定する固定支持具９２と、を備えて構成されている。第１円弧部９０は、筒状部の外周面に巻かれる第１円弧部本体９３と、第１円弧部本体９３の両端で折り返された一対の第１固定片９４、９４と、を備えている。第２円弧部９１は、筒部材２Ａ、２Ｂの外周面に巻かれる第２円弧部本体９５と、第２円弧部本体９５の両端で折り返された一対の第２固定片９６、９６と、を備えている。固定支持具９２は、壁部Ｗに重ねられる支持板部９７と、支持板部９７の両端が折れ曲がって形成された一対の対向板部９８、９８と、一対の対向板部９８、９８の支持板部９７から離れた端部に形成された一対の固定片９９、９９と、を備えている。このような取付け部材９は、第１固定片９４、第２固定片９６、固定片９９のうち一方を重ねて、ボルトＢ及びナットＮを用いて締結し、第１固定片９４、第２固定片９６、固定片９９のうち他方を重ねて、ボルトＢ及びナットＮを用いて締結し、壁部Ｗに支持板部９７を重ねてビス固定する。
【００３５】
次に、煙突体１を壁部Ｗに固定する際の手順について、図７、図９〜図１２を参照して説明する。予め、取付け部材９を組み立てて、支持板部９７を壁部Ｗに重ねてビス固定しておく。
【００３６】
まず、図７に示すように、上側筒部材２Ａの雌ねじ部６を下側筒部材２Ｂの雄ねじ部４に近付ける。雌突起部７が、雄突起部５の第１勾配部５１の第１上側傾斜面５１Ｂに当接する。雌ねじ部６を螺合方向Ｒの奥側に移動する。これに伴って、雌突起部７は、雄突起部５の第１上側傾斜面５１Ｂに摺接案内され、第２上側傾斜面５２Ｂに移動し、さらに螺合方向Ｒの奥側に摺接案内されて、これを通過して、螺合方向Ｒの奥側に位置する雄突起部５に到達する。即ち、雌突起部７の切断端縁７０が、雄突起部５の第１下側傾斜面５１Ｃに接触する。この際、雌ねじ部６の雌側下端部１３が、雄ねじ部４の第２延在部４３に接触する。この状態で、さらに雌ねじ部６が螺合方向Ｒの奥側に移動されることで、図９に示すように、雌ねじ部６の雌側下端部１３が雄ねじ部４の第２延在部４３を押圧し、雌突起部７、雌ねじ部６の雌側突条部１２及び雌側下端部１３が、雄突起部５と第２延在部４３との間に押圧状態で挟持される。こうして、雌突起部７が雄突起部５に係合する。これにより、上側筒部材２Ａ及び下側筒部材２Ｂが連結されて、連結部２０が構成される。
【００３７】
続いて、図１１に示すように、連結された上側筒部材２Ａと下側筒部材２Ｂを取付け部材９に挿入する。この際、上側筒部材２Ａと下側筒部材２Ｂとの連結部２０が、筒部本体２１の外周面より径方向の内側に凹んで設けられているから、連結部２０を跨ぐ取付け部材９の移動がスムーズに行われ、上側筒部材２Ａ及び下側筒部材２Ｂが取付け部材９に位置決めされる。最後に、図１２に示すように、ロッキングバンド３の環状部本体３０を、バンド本体３４が雌ねじ部６の雌側突条部１２及び雄ねじ部４の突条部４７を覆う格好で連結部２０に近付ける。上方の曲げ部３５Ａが雌ねじ部６の雌側凹み部１１に当接し、下方の曲げ部３５Ｂが雄ねじ部４の溝部４８に当接する。最後に、リング３１をフック３３に引っ掛けて、レバー３２を回動させることで、環状部本体３０で連結部２０を締め付ける。こうして、煙突体１が完成する。
【００３８】
上述した実施形態によれば、雄ねじ部４を雌ねじ部６に近付けて内挿した状態で、雌ねじ部６が雄ねじ部４に対して螺合方向Ｒの奥側に移動されることで、雌突起部７が雄突起部５の第１勾配部５１における雄側カプラー部４０（雄筒状部）の先端側の面（第１上側傾斜面５１Ｂ）に摺接されて螺合方向Ｒの奥側に案内される。さらに螺合方向Ｒの奥側に移動されるに伴って、雌突起部７は、第１勾配部５１の第１上側傾斜面５１Ｂに連続される第２勾配部５２の第２上側傾斜面５２Ｂに移動して、螺合方向Ｒの奥側に位置する第１勾配部５１の第１下側傾斜面５１Ｃ（基端側の面）に係合するが、第１勾配部５１より大きい勾配を有する第２勾配部５２が設けられていることにより、落下エネルギーの一部を螺合方向Ｒへ転換することがでるから、螺合方向Ｒの奥側に向かう移動速度（回転速度）を速くすることができる。これにより、雌突起部７が、螺合方向Ｒの奥側に位置する第１勾配部５１の雄側カプラー部４０の第１下側傾斜面５１Ｃに係合する際の移動（締付け）が促進される。
【００３９】
雌突起部７は、螺合方向Ｒの奥側に向かう回転速度を増しながら第２勾配部５２を通過した後、雌ねじ部６の雌側下端部１３が雄ねじ部４の第２延在部４３を押圧し、雌突起部７、雌ねじ部６の雌側突条部１２及び雌側下端部１３が、雄突起部５と第２延在部４３との間に押圧状態で挟持されることで、第１勾配部５１の雄側カプラー部４０の第１下側傾斜面５１Ｃに係合する。即ち、第１勾配部５１より大きい勾配を有する第２勾配部５２が設けられていることにより、雌突起部７が、螺合方向Ｒの奥側に位置する第１勾配部５１の雄側カプラー部４０の第１下側傾斜面５１Ｃに係合する際の移動（締付け）が促進されることにより、組立て作業効率の向上を図ることができる。
【００４０】
また、本実施形態では、雄側カプラー部４０と第１下側傾斜面５１Ｃとの境界線Ｌ１は直線状に形成され、境界線Ｌ１と雄側カプラー部４０の周方向に沿う仮想線Ｌ０との成す角θ１が４度となるように形成されている。ここで、第１勾配部５１は、境界線Ｌ１と雄側カプラー部４０の周方向に沿う仮想線Ｌ０との成す角θ１が小さくなるほど、雄突起部５と雌突起部７が係合した際に緩み難くなるが、製造上の困難さも伴うため、３度〜７度の範囲内となるように形成されていることが好ましい。より好ましくは、４度〜５度の範囲内となるように形成されているのがよい。これによれば、雄突起部５及び雌突起部７の係合を緩み難いものとすることができる。
【００４１】
また、雌突起部７は、その一部が切り欠かれ、切り欠かれることで形成された切断端縁７０を有し、切断端縁７０が第１勾配部５１に当接することで、雌突起部７が第１勾配部５１に係合する。これによれば、切断端縁７０が第１勾配部５１に当接することで、摩擦により雄突起部５及び雌突起部７の係合を、より一層、緩み難いものとすることができる。
【００４２】
なお、本発明は、前記実施形態に限定されるものではなく、本発明の目的が達成できる他の構成等を含み、以下に示すような変形例も本発明に含まれる。
【００４３】
即ち、雌突起部７は、その一部が切り欠かれ、切り欠かれることで形成された切断端縁７０を有しているが、本発明はこれに限定されるものではない。切断端縁７０を有する雌突起部７に比して、雄突起部及び雌突起部の係合が多少緩み易くなるものの雌突起部は、切断端縁７０を有していなくてもよい。
【００４４】
また、前記実施形態では、雌側カプラー補強部８は、外側筒部２２の下端部２２Ｂに重なって溶接（固定）されている。即ち、雌側カプラー補強部８は、外側筒部２２とは別体に構成されているが、本発明はこれに限定されるものではない。雌側カプラー補強部及び外側筒部は一体に構成されていてもよい。
【００４５】
また、前記実施形態では、第２勾配部５２における雄側カプラー部４０と第２上側傾斜面５２Ｂとの境界線Ｌ２は直線状に形成されているが、本発明はこれに限定されるものではない。図１３に示すように、雄突起部５´の第２勾配部５２´における雄側カプラー部４０と第２上側傾斜面５２Ｂ´との境界線Ｌ１２は凹のＲ形状を有する曲線から構成されていてもよい。この場合には、境界線Ｌ１２の上端Ｌ１２ａと下端Ｌ１２ａとを結ぶ線分の仮想線Ｌ０に対する角が４５度と成るように形成されていればよい。これによれば、上述した実施形態と略同様の効果が奏される。
【００４６】
また、前記実施形態では、雄突起部５において、第２勾配部５２は、仮想線Ｌ０に対して角θ２となるように連続する１つの直線状の境界線Ｌ２を有して構成されているが、本発明はこれに限定されるものではない。図１４に示すように、雄突起部１５において、第２勾配部１５２の第２上側傾斜面１５２Ｂは、仮想線Ｌ０に対して角θ３となる直線状の境界線Ｌ３と、仮想線Ｌ０に対して角θ４となる直線状の境界線Ｌ４と、を有して構成されていてもよい。角θ３は、本実施形態では、６０度と成るように形成され、角θ４は、本実施形態では、４０度と成るように形成されていてもよい。また、第２勾配部１５２を構成する境界線Ｌ３、Ｌ４のうち、少なくとも一部が、角θ１より大きい角となるように形成されていればよい。これによれば、上述した実施形態と略同様の効果が奏される。
【００４７】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４８】
１          煙突体
２Ａ、２Ｂ  筒部材
４          雄ねじ部
５          雄突起部
４０        雄側カプラー部（雄筒状部）
５１        第１勾配部
５１Ｂ      第１上側傾斜面（第１勾配部の先端側の面）
５１Ｃ      第１下側傾斜面（第１勾配部の基端側の面）
５２Ｂ      第２上側傾斜面（第２勾配部の先端側の面）
５２        第２勾配部
６          雌ねじ部
７          雌突起部
６０        雌側カプラー部（雌筒状部）
７０        切断端縁
【図１】
2019207065.tif 000003
【図２】
2019207065.tif 000004
【図３】
2019207065.tif 000005
【図４】
2019207065.tif 000006
【図５】
2019207065.tif 000007
【図６】
2019207065.tif 000008
【図７】
2019207065.tif 000009
【図８】
2019207065.tif 000010
【図９】
2019207065.tif 000011
【図１０】
2019207065.tif 000012
【図１１】
2019207065.tif 000013
【図１２】
2019207065.tif 000014
【図１３】
2019207065.tif 000015
【図１４】
2019207065.tif 000016